(57)【要約】【課題】  本発明の目的はジョブが発生してからキャリブレーションを行うとキャリブレーション処理時間が全体のジョブ進行を遅らせてしまうという問題を解決することである。また、目的に応じて必要な精度を確保することでキャリブレーション処理の負荷を減らすことが課題である。【解決手段】  スケジュールＤＢによって機器使用スケジュールを管理する。予約情報の要求精度を使用開始日時の時点で満たすように事前に機器のキャリブレーションを実施する。【選択図】  図１
2009145978.tif 000002
【特許請求の範囲】
【請求項１】
電子的スケジュールシステムと連動して装置の安定性を確保することを特徴とするキャリブレーション方式及び装置。
【発明の詳細な説明】
【技術分野】
【０００１】
本発明はプリンタ等の入出力機器の安定性を確保するキャリブレーションに関する技術である。
【背景技術】
【０００２】
装置のキャリブレーションを機器予約用電子的スケジュールシステムと連動して事前に行うようなものは従来なかった。特開２００２−２９７３５４、特開２００２−６３００４等はプリントジョブのスケジューリングを行うだけであり、キャリブレーションに関しては考慮していない。特願２００４−１７７３７８ではプリントジョブに対してキャリブレーションのスケジュールを行うが、プリントジョブ発生以前には何もしていない。
【特許文献１】特開２００２−２９７３５４号公報
【特許文献２】特開２００２−６３００４号公報
【特許文献３】特願２００４−１７７３７８号公報
【発明の開示】
【発明が解決しようとする課題】
【０００３】
本発明の目的はジョブが発生してからキャリブレーションを行うとキャリブレーション処理時間が全体のジョブ進行を遅らせてしまうという問題を解決することである。また、目的に応じて必要な精度を確保することでキャリブレーション処理の負荷を減らすことが課題である。
【課題を解決するための手段】
【０００４】
スケジュールＤＢによって機器使用スケジュールを管理する。予約情報の要求精度を使用開始日時の時点で満たすように事前に機器のキャリブレーションを実施する。
【発明の効果】
【０００５】
本発明によれば機器の使用時には必要とされる要求精度の安定状態を保っているため、予約しておくことにより効率の良い機器運用を行うことが出来るという効果がある。
【発明を実施するための最良の形態】
【０００６】
以下図面を用いて本発明の実施例を説明する。
【０００７】
図１は本発明の実施例である機器予約システムの構成を示すブロック図である。ユーザはクライアントＰＣ１０を使ってスケジュール管理サーバ１１と通信を行うことにより機器の予約状況の確認や機器の利用予約を行うことが出来る。スケジュール管理サーバ１１はスケジュールＤＢ１２を用いて機器のスケジュール管理を行う。また、各予約における機器への要求精度を利用開始予約日時の時点で満足するよう、機器制御ＰＣ１３へ通知を行う。機器制御ＰＣ１３は調整手段１４及び精度評価手段１５を用いてプリンタ１６の精度がスケジュール管理ＰＣ１１から通知された条件を満たすようにキャリブレーションなどの制御を行う。
【０００８】
図２は本発明の実施例である機器予約システムにおける、機器予約からスケジュール登録までの手順を示すフローチャートである。
【０００９】
（ステップ２０）クライアントＰＣ１０はユーザの入力した機器予約に対して、スケジュール管理サーバ１１へ予約照会を行う。
【００１０】
（ステップ２１）スケジュール管理サーバ１１はクライアントＰＣ１０から照会された予約に対して、指定機器に空きがあるかをスケジュールＤＢ１２で確認する。空きがあればステップ２２へ、なければステップ２３へ進む。
【００１１】
（ステップ２２）ユーザが入力した予約に対して、スケジュール管理サーバ１１がスケジュールＤＢ１２に登録する。
【００１２】
（ステップ２３）スケジュール管理サーバ１１が照会結果をクライアントＰＣ１０へ通知する。
【００１３】
図３は本発明の実施例である機器予約システムにおける、予約済みの機器調整実施の手順を示すフローチャートである。
【００１４】
（ステップ３０）装置毎の予約の内で一番近い将来の予約に対して、要求精度を満たすための調整時間を勘案した時に、現時点が調整開始時間になっているかを判定する。調整開始時間にまだ達していなければ終了し、達していればステップ３１へ進む。
【００１５】
（ステップ３１）装置の一番近い将来の予約に対して、現状精度が要求精度を満足させているかを判定する。満足であれば終了し、そうでなければステップ３２へ進む。
【００１６】
（ステップ３２）装置の一番近い将来の予約に対して、要求精度を満たすための調整を実施する。
【００１７】
図４は本発明の実施例である機器予約システムにおける、スケジュールＤＢ中の予約データ例を示す図である。
【００１８】
各予約の内容は予約ＩＤ、機器ＩＤ、予約者、利用日時、要求精度の組からなる。
【００１９】
予約ＩＤは予約に対して一意的に割り付けられたＩＤであり、例えばスケジュール管理サーバ１１が予約を登録した日時とすれば良い。機器ＩＤは機器に対して一意的に割り付けられたＩＤであり、例えば製造番号とすれば良い。予約者は予約したユーザを識別するＩＤである。利用日時は利用開始と終了予定日時である。要求精度はその予約においてユーザが装置に要求する精度である。例えば目標からの色差ΔＥが１以内などである。
【００２０】
図５は本発明の実施例である機器予約システムにおける、スケジュールＤＢ中の機器情報データ例を示す図である。
【００２１】
機器ＩＤ毎に機器名称、設置場所、機器詳細、現状精度、調整精度と所要時間のリスト、予約ＩＤリストの情報を持つ。精度の異なる複数の調整方式を持つような機器に対してはそれぞれの調整方式ごとの精度と所要時間の組のリストを持つ。予約ＩＤリストでは機器に対して複数の予約がある場合に、利用開始日時でリストを整列しておけば予約の検索が容易になる。
【００２２】
図６は本発明の実施例である機器予約システムにおける、クライアントＰＣ１０に表示されるスケジュール登録参照ＵＩ例を示す図である。
【００２３】
利用日付に対して機種Ｃに該当する２台のプリンタが表示されている。それぞれのプリンタが時間によってどのように予約されているかが示される。図の例ではプリンタＡ１が１０時から１１時まで予約されており、予約者の氏名等の情報が表示される。予約者のＩＤと氏名などの情報は別のＤＢ（不図示）で管理されている。予約が入っていない時間に対しては「空き」ボタンが表示されており、このボタンを押すことにより機器の予約照会を行うことが出来る。
【図面の簡単な説明】
【００２４】
【図１】本発明の実施例である機器予約システムの構成を示すブロック図
【図２】本発明の実施例である機器予約システムにおける、機器予約からスケジュール登録までの手順を示すフローチャート
【図３】本発明の実施例である機器予約システムにおける、予約済みの機器調整実施の手順を示すフローチャート
【図４】本発明の実施例である機器予約システムにおける、スケジュールＤＢ中の予約データ例を示す図
【図５】本発明の実施例である機器予約システムにおける、スケジュールＤＢ中の機器情報データ例を示す図
【図６】本発明の実施例である機器予約システムにおける、スケジュール登録参照ＵＩ例を示す図
【符号の説明】
【００２５】
１０  クライアントＰＣ
１１  スケジュール管理サーバ
１２  スケジュールＤＢ
１３  機器制御ＰＣ
１４  調整手段
１５  精度評価手段
１６  プリンタ
２０〜２３，３０〜３２  フローチャートのステップ
【図１】
2009145978.tif 000003
【図２】
2009145978.tif 000004
【図３】
2009145978.tif 000005
【図４】
2009145978.tif 000006
【図５】
2009145978.tif 000007
【図６】
2009145978.tif 000008